(57)【要約】【課題】外観を線香に擬似させると共に、芳香剤及び発煙剤を含む薬剤の蒸散効率を高めた電気式擬似線香装置を得る。【解決手段】薬剤容器３の近傍にヒータ（ＰＴＣヒータ６）を配設して該薬剤容器３内の薬剤２を蒸散させるように構成されて成る電気式擬似線香装置１に於て、前記薬剤容器３及び前記ヒータを所定間隔離間して被蔽し密閉する筐体７を設けると共に、該筐体７内に空気を送り込む送風手段（エアーポンプ１０）を配設し、且つ、該筐体７の一部に排気手段（管状体１２）を設けた電気式擬似線香装置を提供する。【選択図】  図３
2004275393.tif 000002
【特許請求の範囲】
【請求項１】
薬剤容器の近傍にヒータを配設して該薬剤容器内の薬剤を蒸散させるように構成されて成る電気式擬似線香装置に於て、前記薬剤容器及び前記ヒータを所定間隔離間して被蔽し密閉する筐体を設けると共に、該筐体内に空気を送り込む送風手段を配設し、且つ、該筐体の一部に排気手段を設けたことを特徴とする電気式擬似線香装置。
【請求項２】
上記排気手段は上記筐体の上部に立設された管状体であることを特徴とする請求項１記載の電気式擬似線香装置。
【請求項３】
上記送風手段はエアーポンプであることを特徴とする請求項１又は２記載の電気式擬似線香装置。
【発明の詳細な説明】
【０００１】
【発明の属する技術分野】
この発明は、電気式擬似線香装置に関するものであり、特に、芳香剤及び発煙剤を含む薬剤を収納する薬剤容器に吸上げ芯を設けると共に、該薬剤容器から露出する吸上げ芯の近傍にヒータを配設して薬剤容器内の薬剤を蒸散させるように構成されて成る電気式擬似線香装置に関するものである。
【０００２】
【従来の技術及び発明が解決しようとする課題】
従来の薬剤を蒸散させる電気式薬剤蒸散装置として、薬剤容器内に吸上げ芯を設けると共に、該吸上げ芯の上端近傍にヒータを配設して薬剤容器内の薬剤を蒸散させるように構成されて成る電気式薬剤蒸散装置が知られている（例えば、特許文献１参照。）。
【０００３】
然しながら、前記電気式薬剤蒸散装置は吸上げ芯を加熱して薬剤を自然対流によって蒸散させるものであり、蒸散効率が悪かった。
【０００４】
又、電気式薬剤蒸散装置に細い排出用の管状体を設け、該電気式薬剤蒸散装置を外観的に線香に擬似させるように構成したものも知られているが、この場合も、薬剤を自然対流によって蒸散させており、且つ、前記細い排出用の管状体は蒸散気体の排出効率が悪いため、薬剤の蒸散効率が極めて悪いという問題がある。
【０００５】
そこで、外観を線香に擬似させると共に、芳香剤及び発煙剤を含む薬剤の蒸散効率を高めた電気式擬似線香装置を得るために解決すべき技術的課題が生じてくるのであり、本発明はこの課題を解決することを目的とする。
【０００６】
【特許文献１】
特開平９−５６４５９号公報  （第１−５頁、第１−３図）
【０００７】
【課題を解決するための手段】
本発明は上記目的を達成するために提案されたものであり、薬剤容器の近傍にヒータを配設して該薬剤容器内の薬剤を蒸散させるように構成されて成る電気式擬似線香装置に於て、前記薬剤容器及び前記ヒータを所定間隔離間して被蔽し密閉する筐体を設けると共に、該筐体内に空気を送り込む送風手段を配設し、且つ、該筐体の一部に排気手段を設けた電気式擬似線香装置、
及び、上記排気手段は上記筐体の上部に立設された管状体である電気式擬似線香装置、
並びに、上記送風手段はエアーポンプである電気式擬似線香装置を提供するものである。
【０００８】
【発明の実施の形態】
以下、本発明の一実施の形態を図１乃至図５に従って詳述する。図１は電気式擬似線香装置の平面図、図２は電気式擬似線香装置の正面図、図３は図１のＡ−Ａ線断面図を示す。図１乃至図３に於て、１は電気式擬似線香装置であり、該電気式擬似線香装置１は発香剤及び発煙剤を含有する薬剤２が収納された薬剤容器３に保持部材４を介して円柱状の吸上げ芯５が設けられると共に、該薬剤容器３から露出する吸上げ芯５の上端部５ａ外周に密着して、温度が上昇すると抵抗が増加するサーミスタから成るＰＴＣヒータ６が配設され、且つ、該薬剤容器３から露出する吸上げ芯５及び該ＰＴＣヒータ６を所定間隔離間して被蔽し密閉する筐体７が前記薬剤容器３の上端部３ａに蜜嵌して設けられている。
【０００９】
そして、図４に示す如く、該ＰＴＣヒータ６には前記吸上げ芯５密着部から該ＰＴＣヒータ６の外側面に貫通する複数の貫通孔８，８…が開穿され、該貫通孔８，８…は後述する液溜まりを発生させるための液溜まり部となるように構成されている。尚、図に於て、９はＰＴＣヒータ６に介装された絶縁層である。
【００１０】
更に、前図３に示す如く、前記筐体７の側方に該筐体７内に空気を送り込む送風手段としてのエアーポンプ１０が設けられ、該エアーポンプ１０は配管１１によって前記筐体７に連通され、且つ、該筐体７の上部に外観を線香に似せた排気手段としての排気用管状体１２が立設されている。そして、該管状体１２内を貫通して該管状体１２の上端から所定寸法露出する発光手段としての光ファイバー１３が配設され、該光ファイバー１３の他端は前記筐体７外側部に設けられた発光体であるＬＥＤ（発光ダイオード）１４近傍に延びており、該ＬＥＤ１４の光が照射されるように構成されている。尚、図に於て、１５は前記筐体７の側部に取付けられ、前記ＬＥＤ１４を収納するケースであり、１６は前記ＰＴＣヒータ６の接続線である。
【００１１】
而して、前記吸上げ芯５に毛細管現象によって前記薬剤２が充分に吸上げられと、前記ＰＴＣヒータ６の前記複数の貫通孔８，８…に該薬剤２が滲み出して薬剤２の液溜まりＬ，Ｌ…ができ、この状態で前記ＰＴＣヒータ６を導通させて該ＰＴＣヒータ６を加熱すると、該貫通孔８，８…の液溜まりＬ，Ｌ…が加熱されて前記薬剤２が蒸散すると共に、前記吸上げ芯５内の薬剤２が蒸散し、同時に該薬剤２内に含有された前記芳香剤による芳香、及び、前記発煙剤による煙も発生する。
【００１２】
この状態で、前記エアーポンプ１０を作動させると、該エアーポンプ１０から前記配管１１を通って該筐体７内に空気が送り込まれ、該空気は前記吸上げ芯５の上端部５ａ周囲の前記薬剤２の蒸散気体を拡散し、蒸散効率を高めると共に、該蒸散気体と混合し、該蒸散気体と空気の混合気体は前記管状体１２の上端から外部に排出される。この時、該混合気体は香りと煙を含んだ気体が混合されているため、前記管状体１２の上端から香りと煙が排出する。
【００１３】
更に、前記ＬＥＤ１４を発光させると該ＬＥＤ１４の光が前記光ファイバー１３に照射され、該光は該光ファイバー１３内を導かれて、前記管状体１２の上端から露出する該光ファイバー１３の先端部１３ａを発光させる。
【００１４】
斯くして、前記電気式擬似線香装置１は前記管状体１２の外観が線香に擬似すると共に、該管状体１２の上端から露出する前記光ファイバー１３の先端部１３ａが発光し、且つ、該管状体１２の上端から香りと煙が排出されることにより、線香が着火して香りと煙を出している状態に擬似させることが可能となり、擬似効果を高めることができる。
【００１５】
又、前記芳香蒸散器１は前記ＰＴＣヒータ６に液溜まり部となる貫通孔８，８…が開穿され、且つ、該ＰＴＣヒータ６は前記吸上げ芯５外周に密着して配設されるため、該貫通孔８，８…に液溜まりＬ，Ｌ…ができ、該液溜まりＬ，Ｌ…が直接加熱されて薬剤２が蒸散すると共に、該ＰＴＣヒータ６が前記吸上げ芯５に密着することにより、該吸上げ芯５内の薬剤２も直接加熱されて蒸散し、蒸散効率を大幅に高めることができる。
【００１６】
更に、前記ＰＴＣヒータ６は所定温度になると抵抗が増加し一定温度となることにより、前記吸上げ芯５に密着しても該吸上げ芯５及び前記薬剤２を過熱することはなく、適温で加熱することが可能になる。
【００１７】
更に又、前記電気式擬似線香装置１は発光手段として光ファイバー１３を用いるので、前記管状体１２先端部近傍を容易に発光させることができる共に、該光ファイバー１３の取付けも容易である。更に、発光体としてＬＥＤ１４を用いているので、発光体を小型化、低電圧、高輝度に構成することができる。
【００１８】
図５は前記ＰＴＣヒータ６に代えて設けられた他のＰＴＣヒータ１７を示し、該ＰＴＣヒータ１７は吸上げ芯５外周面と密着するように形成され、該吸上げ芯５の外周面との密着部から該ＰＴＣヒータ１７の外側面に延びる上方開放の複数の切欠溝１８，１８…が形成され、該切欠溝１８，１８…が液溜まりを発生させるための液溜まり部となるように構成されている。
【００１９】
而して、前記吸上げ芯５に前記薬剤２が充分に吸上げられと、前記複数の切欠溝１８，１８…に該薬剤２が滲みだして薬剤２の液溜まりＬ，Ｌ…ができ、この状態で前記ＰＴＣヒータ１７を導通させて該ＰＴＣヒータ１７を加熱すると、該切欠溝１８，１８…の液溜まりＬ，Ｌ…が直接加熱されて薬剤２が蒸散すると共に、前記吸上げ芯５内の薬剤２が蒸散する。
【００２０】
斯くして、前記ＰＴＣヒータ１７を用いた場合も該ＰＴＣヒータ１７が吸上げ芯５に密着し、且つ、前記切欠溝１８，１８…に液溜まりＬ，Ｌ…ができることにより、該液溜まりＬ，Ｌ…の薬剤、及び、前記吸上げ芯５内の薬剤２が直接加熱されて蒸散し、蒸散効率を大幅に高めることができる。
【００２１】
尚、前記電気式擬似線香装置１に用いられる前記ＰＴＣヒータ６又は前記ＰＴＣヒータ１７に代えて、所定温度に制御される他のヒータ、例えばニクロム線ヒータを用いることも可能であり、然る時も、同様の効果を得ることができる。
【００２２】
又、前記液溜まり部は、該液溜まり部に充分な液溜まりができ、且つ、該液溜まりの芳香剤が蒸散できる形状であればその他の形状に形成することも可能である。
【００２３】
尚、本発明は、本発明の精神を逸脱しない限り種々の改変を為すことができ、そして、本発明が該改変されたものに及ぶことは当然である。
【００２４】
【発明の効果】
本発明は上記一実施の形態に詳述したように、請求項１記載の発明は、電気式擬似線香装置に於て、薬剤容器及びヒータを所定間隔離間して被蔽し密閉する筐体を設けると共に、該筐体内に空気を送り込む送風手段を配設し、且つ、該筐体の一部に排気手段を設けたので、前記送風手段によって空気を送ることにより、前記吸上げ芯に於ける薬剤の蒸散を促進し、蒸散効率を高めることができ、前記排気手段から排出される蒸散気体の排出量を増大させることができる。
【００２５】
又、請求項２記載の発明は、上記排気手段は上記筐体の上部に立設された管状体であるので、請求項１記載の発明の効果に加え、該排気用の管状体によって外観的に線香に擬似させることができる。
【００２６】
更に、請求項３記載の発明は、上記送風手段はエアーポンプであるので、請求項１又は２記載の発明と同様の効果が期待できる等、正に著大なる効果を奏する発明である。
【図面の簡単な説明】
【図１】本発明の一実施の形態を示し、電気式擬似線香装置の平面図。
【図２】本発明の一実施の形態を示し、電気式擬似線香装置の正面図。
【図３】図１のＡ−Ａ線断面図。
【図４】（ａ）図３の吸上げ芯及びＰＴＣヒータの平面図。
（ｂ）前図（ａ）のＢ−Ｂ線断面図。
【図５】（ａ）本発明の他の実施の形態を示し、薬剤容器及びＰＴＣヒータの平面図。（ｂ）本発明の他の実施の形態を示し、薬剤容器及びＰＴＣヒータの一部切欠正面縦断面図。
【符号の説明】
１          電気式擬似線香装置
２          薬剤
３          薬剤容器
７          筐体
１０          エアーポンプ
１２          管状体
【図１】
2004275393.tif 000003
【図２】
2004275393.tif 000004
【図３】
2004275393.tif 000005
【図４】
2004275393.tif 000006
【図５】
2004275393.tif 000007